(57)【要約】【課題】自然災害に加え、軍事攻撃に対しても安全を確保することができる防災シェルターを提供する。【解決手段】防災シェルター１は、収容部１０と、扉部２０と、接合装置３０と、換気装置４０と、を備え、防災シェルター１の内部には、有毒物質除去装置１００が備えられている。収容部１０は、吸気孔１３および排気孔１４が形成され、耐震強化されている。接合装置３０は、吸気孔１３に設置され、有毒物質除去装置１００の取り込み口と接続させるための接続部を有している。通常時には、有毒物質除去装置１００は、収納ケース１９０に納められ、有事の際に、取り込み口を接合装置３０に取り付けることにより、吸気孔１３から外気を吸入して有毒物質を除去する。したがって、耐震シェルターおよび核シェルターの双方の機能を併せ持つことができる。【選択図】図３
2019085790.tif 000002
【特許請求の範囲】
【請求項１】
吸気孔、排気孔、および、利用者が出入り可能な開口部が形成され、利用者を収容する防災用に強化された収容部と、
前記開口部を開放および閉塞可能な扉部と、
取り込み口から空気を取り込んで有毒物質を除去する有毒物質除去装置と、
前記吸気孔に設置され、前記有毒物質除去装置の取り込み口と接続させるための接合装置と、
を備え、
前記有毒物質除去装置は、前記取り込み口を前記接合装置に取り付けることにより、前記吸気孔から外気を吸入して有毒物質を除去し、除去後の空気を前記収容部内に排出し、
前記収容部は、前記排気孔から内気を排出する、
ことを特徴とする防災シェルター。
【請求項２】
前記吸気孔に設置された前記接合装置は、前記有毒物質除去装置の取り込み口との接続部を前記収容部の内部に有する、
ことを特徴とする請求項１に記載の防災シェルター。
【請求項３】
前記吸気孔に設けられ、前記収容部の内部から外部への空気の流出を防止し、背圧により外部から空気を流入させる逆流防止弁と、
前記排気孔に設けられ、前記収容部の外部から内部への空気の流入を制限し、内圧により内気を前記収容部の外部へ排出させる換気装置と、
を備えたことを特徴とする請求項１または請求項２に記載の防災シェルター。
【請求項４】
前記有毒物質除去装置は、
前記取り込み口から電動で外気を吸引する電動吸引手段と、
操作部を有し、前記操作部が操作されることにより、前記取り込み口から手動で外気を吸引する手動吸引手段と、
を備えたことを特徴とする請求項１から請求項３のいずれか１項に記載の防災シェルター。
【請求項５】
前記有毒物質除去装置は、放射線物質、有毒化学物質、有毒生物の除去が可能な、
ことを特徴とする請求項１から請求項４のいずれか１項に記載の防災シェルター。
【請求項６】
吸気孔、排気孔、および、利用者が出入り可能な開口部が形成され、利用者を収容する防災用に強化された収容部と、
前記開口部を開放および閉塞可能な扉部と、
前記吸気孔に設置され、有毒物質を除去する有毒物質除去装置の取り込み口と接続させるための接合装置と、
前記吸気孔に設けられ、前記収容部の内部から外部への空気の流出を防止し、背圧により外部から空気を流入させる逆流防止弁と、
前記排気孔に設けられ、前記収容部の外部から内部への空気の流入を制限し、内圧により内気を前記収容部の外部へ排出させる換気装置と、
を備えたことを特徴とする防災シェルター。
【発明の詳細な説明】
【技術分野】
【０００１】
本発明は、防災シェルターに関し、特に、地震などによる被害からの防護に加え、核シェルターとしても機能することができる防災シェルターに関する。
【背景技術】
【０００２】
東日本大震災、阪神・淡路大震災、新潟県中越地震などの大規模地震に限らず、地震により倒壊した家屋などの下敷きになったり、崖崩れの土砂に埋もれたり、といった被害が発生する。
そして、このような災害から身を守るため、耐震シェルターが提案されている。例えば、十分な剛性の確保と広い出入口の確保とを両立し、かつ、耐用年数の長い室内用耐震シェルター（特許文献１参照）や、地中に埋設されて、地震に対する強度が高められた地下シェルター（特許文献２参照）が提案されている。
【０００３】
また、昨今、海外での核兵器や、生物、化学兵器の開発による緊張状態が続いており、核兵器等を使用した軍事攻撃の脅威が高まっている。このような状況により、核シェルターの普及が望まれる。なお、核兵器による攻撃の場合、ミサイルの直撃、熱風、爆風の被害は、当然あるものの、その範囲はある程度限定されるものであり、その後の放射性物質等の拡散が大きな問題となる。このため、核シェルターにおいては、外気から有毒物質、汚染物質を取り除いてシェルター内に取り込むための装置が必要となる。
【先行技術文献】
【特許文献】
【０００４】
【特許文献１】特開２００５−１３９６１２号公報
【特許文献２】特開２０１３−０１４８９８号公報
【発明の概要】
【発明が解決しようとする課題】
【０００５】
しかしながら、耐震シェルターや核シェルターは、いざという時の備えであるため、日用品のように、簡単に揃えられるものではない。まして、耐震シェルターと核シェルターとのそれぞれを準備するとなると、購入額の問題だけでなく、設置スペースも確保しなければならない。
また、核シェルターを常備しておいても、通常時から有毒物質を取り除くための、例えば、フィルターなどを使用していると、いざ本格的に使用しなければならなくなったときに、フィルターが汚れていて、使用に不都合が生じてしまうという虞がある。そのため、フィルター交換を頻繁に行わなければならない。
【０００６】
このように潜在的な需要は多いものの、コストがかかるなどの問題があり、普及率が上がらない、という問題があった。ましてや、耐震シェルターと核シェルターとの双方を保有するとの選択に至ることは難しかった。
【０００７】
本発明は、このような従来の問題を解決するためになされたもので、自然災害に加え、軍事攻撃に対しても安全を確保することができる防災シェルターを提供することを課題とする。
【課題を解決するための手段】
【０００８】
このような課題を解決するために、本発明に係る防災シェルターは、吸気孔、排気孔、および、利用者が出入り可能な開口部が形成され、利用者を収容する防災用に強化された収容部と、前記開口部を開放および閉塞可能な扉部と、取り込み口から空気を取り込んで有毒物質を除去する有毒物質除去装置と、前記吸気孔に設置され、前記有毒物質除去装置の取り込み口と接続させるための接合装置と、を備え、
前記有毒物質除去装置は、前記取り込み口を前記接合装置に取り付けることにより、前記吸気孔から外気を吸入して有毒物質を除去し、除去後の空気を前記収容部内に排出し、前記収容部は、前記排気孔から内気を排出する、ことを特徴とする。
【０００９】
また、本発明に係る防災シェルターは、前記吸気孔に設置された前記接合装置は、前記有毒物質除去装置の取り込み口との接続部を前記収容部の内部に有する、ことを特徴とする。
【００１０】
さらに、本発明に係る防災シェルターは、前記吸気孔に設けられ、前記収容部の内部から外部への空気の流出を防止し、背圧により外部から空気を流入させる逆流防止弁と、前記排気孔に設けられ、前記収容部の外部から内部への空気の流入を制限し、内圧により内気を前記収容部の外部へ排出させる換気装置と、を備えたことを特徴とする。
【００１１】
さらに、本発明に係る防災シェルターは、前記有毒物質除去装置は、前記取り込み口から電動で外気を吸引する電動吸引手段と、操作部を有し、前記操作部が操作されることにより、前記取り込み口から手動で外気を吸引する手動吸引手段と、を備えたことを特徴とする。
【００１２】
さらに、本発明に係る防災シェルターは、前記有毒物質除去装置は、放射線物質、有毒化学物質、有毒生物の除去が可能な、ことを特徴とする。
【００１３】
さらに、本発明に係る防災シェルターは、吸気孔、排気孔、および、利用者が出入り可能な開口部が形成され、利用者を収容する防災用に強化された収容部と、前記開口部を開放および閉塞可能な扉部と、前記吸気孔に設置され、有毒物質を除去する有毒物質除去装置の取り込み口と接続させるための接合装置と、前記吸気孔に設けられ、前記収容部の内部から外部への空気の流出を防止し、背圧により外部から空気を流入させる逆流防止弁と、前記排気孔に設けられ、前記収容部の外部から内部への空気の流入を制限し、内圧により内気を前記収容部の外部へ排出させる換気装置と、を備えたことを特徴とする。
【発明の効果】
【００１４】
本発明によれば、自然災害に加え、軍事攻撃に対しても安全を確保することができる防災シェルターを提供することができる。
【図面の簡単な説明】
【００１５】
【図１】本発明の実施の形態における防災シェルターの一例を示す図である。
【図２】本発明の実施の形態における有毒物質除去装置の一例を示す図である。
【図３】有毒物質除去装置の取り付け状態の一例を示す図である。
【図４】手動吸引装置を使用する場合の有毒物質除去装置の取り付け状態の一例を示す図である。
【発明を実施するための形態】
【００１６】
以下、本発明の実施形態について、図面を参照して説明する。
【００１７】
図１は、本発明の実施の形態における防災シェルターの一例を示す図である。なお、図１（ａ）は、防災シェルターの内部構造を示す図であり、図１（ｂ）は、防災シェルターの外観を示す斜視図である。
【００１８】
図１に示すように、防災シェルター１は、収容部１０と、扉部２０と、接合装置３０と、換気装置４０と、を備えている。また、防災シェルター１の内部には、有毒物質除去装置１００が備えられている。
【００１９】
収容部１０には、開口部１２と、吸気孔１３と、排気孔１４と、が形成されている。また、収容部１０には、電力が供給される電源コンセント１５が設けられている。なお、電源コンセント１５に供給される電力は、電力会社による電線を介して供給されるものであってもよいし、自家発電による電力供給であってもよい。また、収容部１０は、利用者を充分に収容できる内部空間を有している。
【００２０】
さらに、収容部１０は、耐荷重、耐火機能を有しており、防災用に強化されている。例えば、収容部１０は、衝撃や高熱に耐えられる鉄やステンレス等で形成される。具体的には、収容部１０は、耐荷重を有し、家屋破損や、ミサイルなどが飛来した際の爆風、ガラス片や木材などによる危険、台風や竜巻による重量物の飛来などに対しても、内部の安全を確保できるようになっている。また、収容部１０は、ガンマ線、エックス線、中性子線等の放射線も遮蔽できるようになっている。さらに、収容部１０は、密封性（気体の出入り防止）、気密性（液体の出入り防止）も高めている。
【００２１】
収容部１０の開口部１２には、扉部２０が設けられている。扉部２０は、開口部１２を開放、および、閉塞可能に設けられている。また、扉部２０は、開口部１２を閉塞時に、開口部１２を完全に密閉できるようになっている。また、例えば、扉部２０を内開き扉とすることにより、収容部１０内の圧力が、外部の圧力より高くなった場合に、内圧により扉部２０が開口部１２側に押されることで、より密閉性が高まる。
なお、扉部２０に関しても、爆風や熱を防ぐ、耐爆、耐圧扉となっている。また、扉部２０は、内開き扉に限らず、外開き扉でもよく、また、引き戸や、折れ戸などであってもよい。
【００２２】
収容部１０の吸気孔１３には、接合装置３０（アダプター）が設けられている。接合装置３０は、吸気孔１３の外側（収容部１０の外部側）、および、吸気孔１３の内側（収容部１０の内部側）を完全に塞ぐように設置され、その中心に、防災シェルター１の外部の空気（以下、外気という）を防災シェルター１の内部に取り込むための流通路が設けられている。また、吸気孔１３の内部では、接合装置３０の外周にゴムパッキンが設けられ、接合装置３０の流通路外からの空気の出入りを防止している。また、吸気孔１３の外側、収容部１０の外壁には、雨除けカバーが設けられ、吸気孔１３への雨除け、泥除けとなっている。
【００２３】
また、防災シェルター１の内側にあたる接合装置３０の先端には、有毒物質除去装置１００と接続するための接続部が設けられている。また、接合装置３０の中、すなわち、吸気孔１３内には、逆流防止弁が設けられ、収容部１０の内部から外部への空気の流出を防止している。また、逆流防止弁は、収容部１０の外部から内部への空気の流入は可能としており、内部側の圧力（背圧）が低くなると、具体的には、後述するように、有毒物質除去装置１００に吸引されると、外気を取り込むようになっている。
さらに、接合装置３０には、プレフィルターが付いており、大きなゴミ、塵やほこり等は、予めプレフィルターで除去できるようになっている。また、接合装置３０の接続部には、吸気孔蓋３６が設けられている。
【００２４】
なお、例えば、吸気孔１３の直径は、ゴムパッキン等を用いるため、２０ｃｍ程度となっているが、接合装置３０に設けられる流通路の直径は、略１０ｃｍとなっており、接続部の直径はそれよりやや小さめとなっている。ここで、吸気のための孔の大きさは、孔の大きさが大きければ、多くの外気を取り込むことができるが、それだけ多くの外気から毒性を短時間に排除しなければならず、小さければ十分な空気を取り込むことができず、吸引力を上げなければならない。ちなみに、直径が１／２になると、断面積は１／４となるが、圧力損失は、直径比の５乗、３２倍となり、それだけ大きな吸引力が必要となってしまう。したがって、小さな吸引孔、流通路では不充分であり、ある程度の径が必要となる。
【００２５】
収容部１０の排気孔１４には、換気装置４０が設けられている。換気装置４０は、収容部１０の内側にプロペラを有し、それよりも外側に逆流防止弁を有し、外気の流入を制限（防止）している。また、換気装置４０は、防災シェルター１内の圧力（以下、内圧という）が高まり、外気の圧力（以下、外圧という）よりも所定値以上高くなると、防災シェルター１の内部の空気（以下、内気という）を外部に排出させる。
また、排気孔１４の内部では、換気装置４０の外周にゴムパッキンが設けられ、換気装置４０外からの空気の出入りを防止している。また、排気孔１４の外側、収容部１０の外壁には、雨除けカバーが設けられ、排気孔１４への雨除け、泥除けとなっている。また、排気についても、吸気と同様に、能力に合わせた設計が必要である。また、換気装置４０は、内圧、外圧によらず、例えば、電力等を用いて強制的に内気を排出させるようなものであってもよい。
【００２６】
図２は、本発明の実施の形態における有毒物質除去装置の一例を示す図である。なお、図２（ａ）は、収納ケースに納められた状態の有毒物質除去装置を示す図であり、図２（ｂ）は、フィルターに接続ホースを接続した状態の有毒物質除去装置を示す図である。
【００２７】
図２に示すように、有毒物質除去装置１００は、フィルター１１０と、接続ホース１２０と、電動吸引装置１３０（電気ブロワー）と、手動吸引装置１４０（手動ブロワー）と、が収納ケース１９０内に納められている。
【００２８】
フィルター１１０は、吸入口と排出口とを有し、吸入口から取り込んだ空気（外気）の有毒物質を取り除き、安全な空気を排出口から排出するものである。また、フィルター１１０の吸入口には、前面保護キャップが嵌め込まれ、排出口には、後面保護キャップが嵌め込まれている。そして、フィルター１１０は、前面保護キャップを外し、吸入口が接合装置３０の接続部と接続できるようになっている。また、フィルター１１０は、後面保護キャップを外し、排出口が接続ホース１２０と接続できるようになっている。また、後述するように、フィルター１１０の排出口は、直接、手動吸引装置１４０と接続できるようにもなっている。
【００２９】
なお、上記のように、接合装置３０には、プレフィルターが付いており、大きなゴミ、塵やほこり等は、予めプレフィルターで除去されて、除去後の外気がフィルター１１０に取り込まれる。ここで、フィルター１１０が取り除く有毒物質としては、例えば、放射性物質、サリンやＶＸガス等の有毒化学物質、炭疽菌等の有毒生物などがある。
【００３０】
したがって、防災シェルター１は、収容部１０および有毒物質除去装置１００のフィルター１１０の機能を備えることにより、防爆、耐震、耐放射性物質、耐生物兵器、耐化学兵器対応のシェルターとなる。さらに、収容部１０は、気密性を高め、水等の液体の進入も遮断している。
【００３１】
接続ホース１２０は、一端が電動吸引装置１３０に接続されており、他端がフィルター１１０の排出口と接続できるようになっている。
電動吸引装置１３０は、吸引口、排出口、電源コード、電源プラグ、スイッチおよび、モータを有している。吸引口は、接続ホース１２０の一端と接続されている。電動吸引装置１３０は、電源プラグを電源コンセント１５に繋ぎ、スイッチを入れることにより、モータが駆動し、接続ホース１２０の他端側の空気を一端側に吸引し、左側側面に設けられた排出口から吸引した空気を排出するものである。すなわち、接続ホース１２０の他端がフィルター１１０に接続されている場合には、フィルター１１０にろ過された空気を吸引して、防災シェルター１内に排出するようになっている。
【００３２】
手動吸引装置１４０は、吸引口、排出口を有し、操作部としての取っ手が付いた蛇腹状の手動式吸引ポンプとなっている。そして、手動吸引装置１４０の吸引口を、電動吸引装置１３０に代えて、フィルター１１０の排出口に接続して、取っ手を前後に動作させると、フィルター１１０にろ過された空気を吸引して、取っ手近くの排出口から防災シェルター１内に排出するようになっている。
なお、手動吸引装置１４０の吸引口は、フィルター１１０の排出口ではなく、接続ホース１２０の一端とも接続できるようになっている。
【００３３】
このような有毒物質除去装置１００を収納している防災シェルター１は、通常時（平時）には、有毒物質除去装置１００のフィルター１１０が、収納ケース１９０内に納められており、フィルター１１０の吸入口および排出口には、前面保護キャップおよび後面保護キャップが嵌め込まれているので、無用に空気に触れず、また、有毒物質のろ過等を行う必要もないため、極力劣化を防止することができる。
なお、フィルター１１０においては、収納ケース１９０に納められているものの、数年単位（例えば、２年）で交換することで、より安全性（ろ過機能の信頼性等）を高めることができる。
【００３４】
次に、有毒物質除去装置１００の具体的な取り付け例について、説明する。
図３は、防災シェルター１における有毒物質除去装置１００の取り付け状態の一例を示す図である。
【００３５】
まず、有事の際には、防災シェルター１内に逃げ込んで安全を確保する。そして、防災シェルター１内において、有毒物質除去装置１００の収納ケース１９０を開けて、フィルター１１０を取り出す。次に、接合装置３０に取り付けられている吸気孔蓋３６と、フィルター１１０の吸入口の前面保護キャップと、を取り外し、接合装置３０の接続部とフィルター１１０の吸入口とを合わせて、接合装置３０にフィルター１１０を取り付ける。次いで、フィルター１１０の排出口の後面保護キャップを取り外し、収納ケース１９０から接続ホース１２０を取り出し、電動吸引装置１３０に接続されている側とは反対側の他端を、フィルター１１０の排出口に接続する。
【００３６】
そして、電動吸引装置１３０の電源プラグを電源コンセント１５に繋ぎ、スイッチを入れる。これにより、電動吸引装置１３０のモータが駆動し、吸気孔１３を介して外気を吸引し、吸引した外気がフィルター１１０でろ過され、安全な空気が防災シェルター１内に流入される。
【００３７】
これにより、外気が汚染されていても、防災シェルター１内の空気が汚染されることはなく、防災シェルター１内を安全に保つことができる。また、外気を吸引して、有毒物質を取り除いて防災シェルター１内に取り込むことにより、防災シェルター１内の圧力が一定以上になると、内部の空気が、排気孔１４に設けられた換気装置４０により、外部に排出される。なお、浄化した外気を取り込んで内圧が高くなることにより、わずかな隙間からも、汚染された外気が流入する虞がなく、防災シェルター１内を安全に保つことができる。
【００３８】
次に、有毒物質除去装置１００の手動吸引装置１４０の具体的な取り付け例について、説明する。
図４は、手動吸引装置１４０を使用する場合の有毒物質除去装置１００の取り付け状態の一例を示す図である。
【００３９】
電動吸引装置１３０を使用している場合、フィルター１１０の排出口に取り付けられている接続ホース１２０を外し、フィルター１１０の排出口に手動吸引装置１４０を装着する。一方、有毒物質除去装置１００をまだ使用していない場合、接合装置３０に取り付けられている吸気孔蓋３６を取り外し、接合装置３０の接続部にフィルター１１０の吸入口を合わせて取り付け、フィルター１１０の排出口に手動吸引装置１４０を装着する。
【００４０】
そして、手動吸引装置１４０の取っ手を前後に押引きすることにより、吸気孔１３を介して外気を吸引し、吸引した外気がフィルター１１０でろ過され、安全な空気が防災シェルター１内に流入される。
したがって、電源供給が停止された場合であって、新鮮な空気を継続して防災シェルター１内に取り込むことができ、安全性を高めることができる。
【００４１】
また、手動吸引装置１４０は、接続ホース１２０とも接続可能である。したがって、他端がフィルター１１０の排出口と接続された接続ホース１２０の電動吸引装置１３０と接続された一端を、電動吸引装置１３０から外し、手動吸引装置１４０と接続させることができる。これにより、吸気孔１３の位置が、高所などの操作がし難い場所にあっても、接続ホース１２０を延ばすことにより、手動吸引装置１４０を操作し易い場所に設置することができる。
【００４２】
また、上記のように本実施の形態の防災シェルター１には、接合装置３０が設けられている。すなわち、防災シェルター１には、有毒物質除去装置１００と接続するための接続部が設けられている。したがって、予め有毒物質除去装置１００を抜いた状態で、防災シェルター１のみを購入して、耐震シェルターとして使用し、後から、有毒物質除去装置１００を購入して、核シェルターとしての機能を追加させることもできる。
【００４３】
さらに、本実施の形態の防災シェルター１は、収容部１０が耐荷重、耐火機構を有しており、防爆、耐震性能等があるため、通常の居室内や庭先などに設置することができる。すなわち、通常核シェルターとしてイメージする地下施設として限定されることはなく、アパートやマンションの一室、空中階であっても、設置することができる。例えば、３０階建てマンションの２２階の一室といった場所であっても、本実施の形態の防災シェルター１を設置することができ、耐震シェルターとしても核シェルターとしても用いることができる。
【００４４】
以上のように、本実施の形態における防災シェルター１は、有事の際には、有毒物質除去装置１００を取り付けることにより、耐震シェルターの機能と、核シェルターの機能と、を併せ持つことができ、自然災害に加え、軍事攻撃に対しても安全を確保することができる。
また、防災シェルター１は、耐震シェルターの機能と、核シェルターの機能と、を併せ持っているので、それぞれを別に、準備、購入せずに済み、設置場所にも困らず、コストが下がり、防災シェルターの普及に貢献することができる。
また、空気ろ過用のフィルターを、通常時には収納しておくことができるので、汚れや劣化を防止し、交換の必要がなく、コストを下げることができるとともに、有事の際に確実に使用することができる。
【００４５】
また、本実施の形態における防災シェルター１は、フィルター１１０の接続場所を、防災シェルター１内としたので、防災シェルター１の外部に出ることなく、防災シェルター１に核シェルターの機能を持たせることができるので、有事の際には、いち早く防災シェルター１内に逃げ込み、後からゆっくりと作業を行うことができ、安全性を高めることができる。
【００４６】
さらに、本実施の形態における防災シェルター１は、吸気孔１３に対して内部の空気の流出を防止するとともに、外気の無用な流入を制限する逆流防止弁を設け、排気孔１４に対して外気の流入を制限する換気装置４０を設けたので、有毒物質除去装置１００の取り付け前でも、外気が防災シェルター１内に流入することを防止でき、より安全性を向上させることができる。
【００４７】
さらに、本実施の形態における防災シェルター１は、電動吸引装置１３０と、手動吸引装置１４０と、を備えているので、電力が供給される場合には、自動で吸引を行うことができ、電力の供給が途絶えた場合であっても、有毒物質を取り除いた空気を取り込むことができる。
【００４８】
さらに、本実施の形態における有毒物質除去装置１００は、放射線物質、有毒化学物質、有毒生物の除去ができるので、様々な攻撃に対しても、安全を確保することができる。
【００４９】
なお、本実施の形態において、例えば、電動吸引装置１３０が、本願の電動吸引手段を構成し、手動吸引装置１４０が、本願の手動吸引手段を構成する。
【符号の説明】
【００５０】
１    防災シェルター
１０    収容部
１２    開口部
１３    吸気孔
１４    排気孔
１５    電源コンセント
２０    扉部
３０    接合装置
３６    吸気孔蓋
４０    換気装置
１００    有毒物質除去装置
１１０    フィルター
１２０    接続ホース
１３０    電動吸引装置
１４０    手動吸引装置
１９０    収納ケース
【図１】
2019085790.tif 000003
【図２】
2019085790.tif 000004
【図３】
2019085790.tif 000005
【図４】
2019085790.tif 000006